(57)【要約】      （修正有）【課題】高いシャーシフレームで縦・横軸の修正作業ができ、付属品の取外しが最小限、損傷度合いに応じ小さな力で修正可能なトラックフレーム修正機を提供。【解決手段】トラックフレーム修正機は作業場所に配設された昇降手段と、昇降手段上に設けられた架台本体２０と、架台本体２０上で車両前後方向に移動可能なクロスビームギアサポート３０と、クロスビームギアサポート３０の幅方向に配設されたクロスビーム４０と、クロスビーム４０に配設された保持体４５と、保持体４５に配設されたキューブ５０と、を備え、キューブ５０に固定されるアジャストブロック７０を有し、アジャストブロック７０は幅方向のシャーシフレームＳＦを挟持するように幅方向両側に所定間隔をおいて複数配置されアジャストブロック７０の一方に連結された押圧手段１００とアジャストブロック７０の他方に連結された牽引手段１１０とを有する。【選択図】図１
2017007654.tif 000002
【特許請求の範囲】
【請求項１】
床に形成された作業場所に配設された昇降手段と、
該昇降手段上に設けられた車両の支持手段と、
前記支持手段上で前記車両の前後方向に移動可能に配設される第１治具ベースと、
該第１治具ベースに支持され前記支持手段の幅方向に配設された横架手段と、
該横架手段に配設された第２治具ベースと、
該第２治具ベースに配設されたキューブ状の治具と、
を備えたトラックフレーム修正機であって、
前記キューブ状の治具に固定される幅方向のシャーシフレームを挟持するように幅方向両側に所定間隔をおいて複数配置された、アジャストブロックを有し、
前記アジャストブロックは幅方向のシャーシフレームを挟持するように幅方向両側に所定間隔をおいて複数配置され、
前記アジャストブロックの一方に連結された押圧手段及び、他方に連結された牽引手段と、
を有することを特徴とするトラックフレーム修正機。
【請求項２】
作業場所に配設された昇降手段と、
該昇降手段の上部に設けられた車両方向前後スケールが形成された支持手段と、
前記支持手段の上で車両の前後方向に移動可能に設けられた前後移動手段と、
該前後移動手段に支持され、前記支持手段の幅方向に配設され、左右スケールが形成された横架手段と、
該横架手段に支持されて、前記横架手段を左右に移動可能とすると共に上下方向に移動可能に設けられたキューブと、
前記キューブに着脱可能に設けられたスケール付のスライド定盤と、
前記キューブ又は前記スライド定盤に対して、直接又はアジャストベースを介して着脱可能に設けられたアジャストブロックと、
前記スライド定盤に着脱可能に設けられたジョイント定盤と、
前記ジョイント定盤に設けられ前記アジャストブロックの一方を押圧する押圧手段及び他方を牽引する牽引手段と、を備えたことを特徴とするトラックフレーム修正機。
【請求項３】
前記キューブ又は前記スライド定盤に対して、直接又はアジャストベースを介して着脱可能に設けられた固定ブロックを、備えたことを特徴とする請求項１又は２記載のトラックフレーム修正機。
【請求項４】
請求項１乃至３のいずれか一項に記載のトラックフレーム修正機を用いたトラックフレーム修正方法であって、
修正すべきシャーシフレームをトラックフレーム修正機上に載置する第１工程と、
前記トラックフレーム修正機の車両方向前後スケールが形成された架台本体上を前記車両方向前後スケールに沿って縦移動させて、上下スケールを車両前後方向に移動する第２工程と、
前記修正すべきシャーシフレームを、少なくとも複数のキューブで直接連結する第３工程と、
前記修正すべきシャーシフレームの本来あるべき基準位置から一番下がった位置を特定し、前記シャーシフレームの一番下がった位置に複数のキューブのうち少なくとも間になるようにして、前記キューブの少なくとも一つで前記シャーシフレームと連結し固定する第４工程と、
前記第４工程で連結された前記キューブの両側方向に位置するキューブで前記シャーシフレームと連結して固定し、上下方向移動ができないように固定する第５工程と、
前記第４工程で固定したキューブを前記上下スケールで確認しながら上下方向に移動し、前記シャーシフレームを基準位置に修正して、固定する第６工程と、
前記第５工程で上下方向移動ができないように固定したキューブを解除して、キューブを前記上下スケールで確認しながら上下方向に移動し、前記シャーシフレームを基準位置にして、上下方向移動ができないように固定する第７工程と、を備え、
前記各キューブに固定された前記シャーシフレームが、基準位置になるようにしたことを特徴とするトラックフレーム修正方法。
【請求項５】
請求項１乃至３のいずれか一項に記載のトラックフレーム修正機を用いたトラックフレーム修正方法であって、
シャーシフレームの左右のずれや横曲りに対し、修正すべきシャーシフレームをトラックフレーム修正機上に載置する第１工程と、
前記トラックフレーム修正機の左右スケールが形成された横架手段上を横移動させて調整し、上下スケール及びキューブを車幅左右方向に移動する第２工程と、
前記第２工程で所定位置に移動したキューブとスライド定盤を固定する第３工程と、
前記修正すべきシャーシフレームを、少なくとも複数のキューブと、前記スライド定盤を介して固定ブロック及びアジャストブロックで連結する第４工程と、
前記修正すべきシャーシフレームを前記左右スケール及び前記上下スケールで確認しながら、前記固定ブロック及びアジャストブロックで挟持し、少なくとも修正すべきシャーシフレームの片側を固定する第５工程と、
前記第５工程で挟持された前記アジャストブロックの一方を前記左右スケールで確認しながら押圧手段により押圧し、他方を牽引手段で牽引する第６工程と、
を備え、修正すべきシャーシフレームの上下のずれや縦曲り、前後左右のねじれに対し、修正すべきシャーシフレームの片側を固定し、前後・左右・高さを修正することを特徴とするトラックフレーム修正方法。
【発明の詳細な説明】
【技術分野】
【０００１】
本発明はトラックフレーム修正機及びトラックフレーム修正方法に係り、特に衝突等によって変形したシャーシフレームを修復することが可能なトラックフレーム修正機及びトラックフレーム修正方法に関する。
【背景技術】
【０００２】
国内におけるトラックのフレーム修正作業は、昭和３０年から４０年代にかけて、「引き理論」、「押し理論」、「ジグ理論」に則って行われていた。つまり、海外から輸入されたフレーム修正機が、車体整備工場で使用され、これによって修正していた。モータリーゼーションの進行とともに、多くの技術者が育ち、修正を行う業界においては、国土交通省（当時運輸省）が定めた「車体整備特認工場」が誕生した。
【０００３】
しかし、その後の社会の変化に対応して、大きく変化しているのが現状である。今まで、経験と、勘と、度胸に基づき、大きなパワーを発揮する修正機でトラックの車体整備が行われて現在に至っているが、これまで業界を牽引し活躍してきたベテランたちが高年齢化しており、深刻な世代交替時代が到来している。また、機器類の老朽化が進み、若い技術者の育成が急務な状況となっている。
さらに、物流を担うトラック業界においても国内外を問わず、普通トラックは車体メーカーが、走行性、経済性、安全性を追及し、車両構造、機能、素材が開発される段階で大きく変化している。
【０００４】
本出願人は、商用車等の車両が損傷している場合における複数の牽引力を必要とする修理処理作業と、押し力を必要とする車両フレームの固定作業を同時に行うことが可能で、作業時間を短縮して、作業効率が良好なトラックフレーム修正機及びトラックフレーム修正機を固定する方法を開発した（特許文献１参照）。
【０００５】
また本発明者らは長年の技術経験を活かし、乗用車のみならずピックアップトラック、商用トラック等の車体整備に対しても、熱い情熱をもって取り組んできており、アフターサービスを担う車体整備業においても、計測、記録、基準に基づいた修理を行うことが必要になってきており、これから、ますます正確な整備が要求される時代となることを見据えて開発を重ねている。
【先行技術文献】
【特許文献】
【０００６】
【特許文献１】特許第５２５６３３７号公報
【発明の概要】
【発明が解決しようとする課題】
【０００７】
前記特許文献１では、商乗用車等に好適に活用することができ、車両を搭載した支持手段（架台本体）の高さに影響されずに、車両フレームを固定して矯正することが可能となり、修復・修正すべき車両について、セットアップするための治具等の取り付け修復・修正作業について、順序等を問わずに作業することが可能となるものであった。
【０００８】
このように本出願人は、作業を同時並行に行うことが可能となり、作業時間を大幅に減らし、作業効率を高めることが可能となる技術を提案している。この特許文献１によれば、修復・修正のためにシャーシを含めたフレームの固定作業が他の部分の修復・修正と同時に行うことが可能となる、という絶大な作用効果を奏するものであった。
しかしながら上記利点があっても、フレーム位置が高いシャーシフレームにおいては、特許文献１の技術をそのまま適用することは、困難であった。
【０００９】
一般に、トラックメーカーでは車両ボディを組み立てる際に、各車両ボディパーツに基準穴を形成しており、車種別の専用ジグ（治具）に、各車両ボディパーツの基準穴（「ロケートホール」ともいう）を整合させて組み立てを行っている。事故等で損傷したトラック車両の修正は、トラックフレーム修正機で車両を持ち上げて行うことが一般的である。
【００１０】
このときのトラックフレーム修正機の持ち上げ及びトラックの固定においても、これらの基準穴を利用するが、治具は、基準穴だけでなく、サスペンション等のメカニカルパーツを取付けるポイントも特定し、修理の必要な車両を確実に固定する。そして、トラックフレーム修正機にトラックを固定した後で、修復や修正を行う。
【００１１】
一方、トラックは、トラックメーカーの車種別の仕様基準に基づいて製造されており、トラックの固定には、それぞれのトラックメーカーの仕様基準に沿って修理する必要がある。このためトラックフレーム修正機は、トラックにあった固定を行う必要がある。
【００１２】
特に、従前はシャーシフレームが大きいために、フレームを分割（切断等による）して、修理が必要な部分を特定し、必要部分を修復・修正した後、分割されたフレームを再び溶接等で接合し、元の大きさのシャーシフレームに直していた。
しかし、このようにフレームを分割（切断等による）して、再度接合するということは、修復・修正などの修理に期間（及び時間）を要することになり、非常に作業効率が悪いという問題があった。
またシャーシフレームが大型のため、全体を分割しないで、歪みや変形を修復・修正するためには、修正量を特定しなければならないが、従来の技術では困難であった。
【００１３】
このような事情から、乗用車等の車両よりも、より大型で高さのあるフレームである普通トラック用の車体整備機器として、歪みや変形を修復・修正するときに修正量を確定でき、安全・安心な車体整備が行えるトラックフレーム修正機が要望されている。
【００１４】
本発明は、メーカーが異なる多様な車種に対応できるトラックフレーム修正機で、トラックのフロント側、リア側、ボディ、フレームの歪み、車輪の歪みなどを修復するトラックフレーム修正機であり、特に修復・修正のためにシャーシを含めたフレームの牽引作業を他の部分の修復・修正と同時に行うことが可能なトラックフレーム修正機を提供するものである。
【００１５】
本発明の目的は、高さのあるトラックのシャーシフレームで縦軸・横軸の修正作業が可能で、車両フレームの付属品の取り外しを最小限にし、損傷度合いに応じて小さな力で修正ができ、破損フレームの左右のずれや横曲りに対し、横方向のスケールで調整でき、破損フレーム上下のずれや縦曲りに対し、上下・縦方向のスケールで調整しながら、修正作業ができ、損傷による前後左右のねじれに対し、フレームの片側を固定したうえで、前後・左右・高さの修正が可能なトラックフレーム修正機及びトラックフレーム修正方法を提供することにある。なお、本明細書で記載される「シャーシフレーム」には、トラックフレームの他、トラックのフロント側、リア側、ボディ、各種フレームの歪み、車軸の歪み等を含む概念である。
【課題を解決するための手段】
【００１６】
前記課題は、本発明に係るトラックフレーム修正機によれば、床に形成された作業場所に配設された昇降手段と、該昇降手段上に設けられた車両の支持手段と、前記支持手段上で前記車両の前後方向に移動可能に配設される第１治具ベースと、該第１治具ベースに支持され前記支持手段の幅方向に配設された横架手段と、該横架手段に配設された第２治具ベースと、該第２治具ベースに配設されたキューブ状の治具と、を備えたトラックフレーム修正機であって、前記キューブ状の治具に固定される幅方向のシャーシフレームを挟持するように幅方向両側に所定間隔をおいて複数配置された、アジャストブロックを有し、前記アジャストブロックは幅方向のシャーシフレームを挟持するように幅方向両側に所定間隔をおいて複数配置され、前記アジャストブロックの一方に連結された押圧手段及び、他方に連結された牽引手段と、を有することにより、解決される。
【００１７】
また、前記課題は、本発明に係るトラックフレーム修正機によれば、作業場所に配設された昇降手段と、該昇降手段の上部に設けられた車両方向前後スケールが形成された支持手段と、前記支持手段の上で車両の前後方向に移動可能に設けられた前後移動手段と、該前後移動手段に支持され、前記支持手段の幅方向に配設され、左右スケールが形成された横架手段と、該横架手段に支持されて、前記横架手段を左右に移動可能とすると共に上下方向に移動可能に設けられたキューブと、前記キューブに着脱可能に設けられたスケール付のスライド定盤と、前記キューブ又は前記スライド定盤に対して、直接又はアジャストベースを介して着脱可能に設けられたアジャストブロックと、前記スライド定盤に着脱可能に設けられたジョイント定盤と、前記ジョイント定盤に設けられ前記アジャストブロックの一方を押圧する押圧手段及び他方を牽引する牽引手段と、を備えたこと、により解決される。
【００１８】
このとき、前記キューブ又は前記スライド定盤に対して、直接又はアジャストベースを介して着脱可能に設けられた固定ブロックを、備えているように構成すると、好適である。
【００１９】
また、前記課題は、本発明に係るトラックフレーム修正方法によれば、請求項１乃至３のいずれか一項に記載のトラックフレーム修正機を用いたトラックフレーム修正方法であって、修正すべきシャーシフレームをトラックフレーム修正機上に載置する第１工程と、前記トラックフレーム修正機の車両方向前後スケールが形成された架台本体上を前記車両方向前後スケールに沿って縦移動させて、上下スケールを車両前後方向に移動する第２工程と、前記修正すべきシャーシフレームを、少なくとも複数のキューブで直接連結する第３工程と、前記修正すべきシャーシフレームの本来あるべき基準位置から一番下がった位置を特定し、前記シャーシフレームの一番下がった位置に複数のキューブのうち少なくとも間になるようにして、前記キューブの少なくとも一つで前記シャーシフレームと連結し固定する第４工程と、前記第４工程で連結された前記キューブの両側方向に位置するキューブで前記シャーシフレームと連結して固定し、上下方向移動ができないように固定する第５工程と、前記第４工程で固定したキューブを前記上下スケールで確認しながら上下方向に移動し、前記シャーシフレームを基準位置に修正して、固定する第６工程と、前記第５工程で上下方向移動ができないように固定したキューブを解除して、キューブを前記上下スケールで確認しながら上下方向に移動し、前記シャーシフレームを基準位置にして、上下方向移動ができないように固定する第７工程と、を備え、前記各キューブに固定された前記シャーシフレームが、基準位置になるようにしたこと、により解決される。
【００２０】
また、前記課題は、本発明に係るトラックフレーム修正方法によれば、請求項１乃至３のいずれか一項に記載のトラックフレーム修正機を用いたトラックフレーム修正方法であって、シャーシフレームの左右のずれや横曲りに対し、修正すべきシャーシフレームをトラックフレーム修正機上に載置する第１工程と、前記トラックフレーム修正機の左右スケールが形成された横架手段上を横移動させて調整し、上下スケール及びキューブを車幅左右方向に移動する第２工程と、前記第２工程で所定位置に移動したキューブとスライド定盤を固定する第３工程と、前記修正すべきシャーシフレームを、少なくとも複数のキューブと、前記スライド定盤を介して固定ブロック及びアジャストブロックで連結する第４工程と、前記修正すべきシャーシフレームを前記左右スケール及び前記上下スケールで確認しながら、前記固定ブロック及びアジャストブロックで挟持し、少なくとも修正すべきシャーシフレームの片側を固定する第５工程と、前記第５工程で挟持された前記アジャストブロックの一方を前記左右スケールで確認しながら押圧手段により押圧し、他方を牽引手段で牽引する第６工程と、を備え、修正すべきシャーシフレームの上下のずれや縦曲り、前後左右のねじれに対し、修正すべきシャーシフレームの片側を固定し、前後・左右・高さを修正すること、により解決される。
【００２１】
このように、修正すべきシャーシフレームの左右のずれや横曲りに対し、左右の横方向のスケールで調整し、修正を行い、破損したシャーシフレームフレームの上下のずれや縦曲りに対し、上下方向のスケールで調整し、損傷による前後左右のねじれに対し、修正すべきシャーシフレームの片側を固定したうえで、前後・左右・高さを修正する修正を行い、ダイヤモンド変形、菱曲りの修正の場合は、固定箇所を１か所決め、後軸と修正すべきシャーシフレームの中心を左右の対称に調整しながら修正を行うものである。
【発明の効果】
【００２２】
本発明によれば、前記構成により、次のような効果を有する。
（１）フレームベースで縦軸・横軸の修正作業が可能である。
スライド定盤であるアタッチメントベースにスケールが付いているので、定盤ベースにトップジグを組み合わせ、小さな力で、押圧手段或いは牽引手段（タワー）から分散された力を利用することが可能で、必要な箇所の修正が正確にできる。なお、残留応力を取り除く加熱処理装置を利用して局部的な破損箇所の修正を行うことができる。
【００２３】
（２）機器の操作については車体（修理すべきシャーシフレーム）の移動調整を行う（実施例ではラチェットで行える）。設置されたスケールが基準となる。
具体的には、押圧手段或いは牽引手段において、油圧プレスシリンダーと数本の２０t（トン）プリングタワーを採用し、基準スケールの前後・左右方向で対称に移動調整を行う。さらに、オプション設定で３次元マルチアライメント計測システム「タッチ」を利用すれば修理の精度を高めることが可能である。
【００２４】
（３）損傷修正ついては、次のような効果がある。
1)車両フレームの付属品の取り外しを最小限にし、損傷度合いに応じて小さな力で修正が可能となる。
2)破損したシャーシフレームの左右のずれや横曲りに対し、横方向のスケールで調整しながら、修正作業が可能となる。
3)破損したシャーシフレームの上下のずれや縦曲りに対し、上下・縦方向のスケールで調整しながら、修正作業が可能となる。
4)損傷によるシャーシフレームの前後左右のねじれに対し、シャーシフレームの片側を固定したうえで、前後・左右・高さの修正が可能となる。
5)ダイヤモンド変形、菱曲りは固定箇所を１か所決め、後軸とシャーシフレームの中心を左右の対称に調整しながら修正を行うことが可能となる。
そして、構造、素材、修理技法など基礎的な勉強を徹底することにより、新人でも修正作業が可能となり、従来とくらべ、修正作業がトータルで1/2程度の時間でできる（当社比較）。
【００２５】
また、各メーカーに応じた多様なキャブは、各メーカーに合わせた取り付けブラケットが必要であり、キャブ構造ごとに特定のジグが必要となるため、破損すると全損扱いとなっているが、本発明は、キャブもシャーシフレームの修正と同じ設備で修正できる。つまり、キャブのフロントマウンティングとリアマウンティングの寸法もスケール修正が可能であり、また、左右のフロントピラーは数本のプリングタワーで固定し、容易な引き・押し作業をすることで、修正が可能であり、フロントウインドの寸法は対角を確認しながら修正が可能であり、本発明ではスケールによって、正確な精度が得られ、ドア等の組み付け、ガラス取り付けも同時の作業工程で修正が可能となる。
【図面の簡単な説明】
【００２６】
【図１】トラックフレーム修正機の概略構成の説明図である。
【図２】アジャストベース上にフレームを載置し平面から見た説明図である。
【図３】キューブと直接アジャストブロックの結合状態の説明図である。
【図４】スライド定盤を用いた例を示す説明図である。
【図５】スライド定盤とアジャストベースとスライドロックとの関係を示す説明図であり、（Ａ）は平面図、（Ｂ）は正面図、（Ｃ）は側面図である。
【図６】ジョイント定盤の説明図であり、（Ａ）は平面図、（Ｂ）は側面図、（Ｃ）は正面図である。
【図７】アジャストベースの説明図であり、（Ａ）は平面図、（Ｂ）は側面図、（Ｃ）は正面図である。
【図８】プルタワーの説明図であり、（Ａ）は平面図、（Ｂ）は側面図、（Ｃ）は正面図である。
【図９】プッシュタワーの説明図であり、（Ａ）は平面図、（Ｂ）は側面図、（Ｃ）は正面図である。
【図１０】プルタワーベースの説明図であり、（Ａ）は平面図、（Ｂ）は側面図、（Ｃ）は正面図である。
【図１１】プッシュタワーベースの説明図であり、（Ａ）は平面図、（Ｂ）は側面図、（Ｃ）は正面図である。
【図１２】固定ブロックの説明図であり、（Ａ）は平面図、（Ｂ）は側面図、（Ｃ）は正面図である。
【図１３】固定ブロックの他の説明図であり、（Ａ）は平面図、（Ｂ）は側面図、（Ｃ）は正面図である。
【図１４】アジャスト定ブロックの説明図であり、（Ａ）は平面図、（Ｂ）は側面図、（Ｃ）は正面図である。
【図１５】アジャストブロックに補強材を取り付けた説明図であり、（Ａ）は平面図、（Ｂ）は側面図、（Ｃ）は正面図である。
【図１６】アジャストブロックの補強材の説明図であり、（Ａ）は平面図、（Ｂ）は側面図、（Ｃ）は正面図である。
【図１７】左右スケールと保持体と上下スケールとキューブとの関連の概略説明図である。
【図１８】キューブの説明図であり、（Ａ）は平面図、（Ｂ）〜（Ｄ）は側面図、（Ｅ）は底面図である。
【図１９】キューブの説明図であり、（Ａ）は平面図、（Ｂ）〜（Ｄ）は側面図、（Ｅ）は底面図である。
【図２０】キューブの説明図であり、（Ａ）は平面図、（Ｂ）〜（Ｄ）は側面図、（Ｅ）は底面図である。
【図２１】キューブの説明図であり、（Ａ）は平面図、（Ｂ）〜（Ｄ）は側面図、（Ｅ）は底面図である。
【図２２】トラックフレーム修正機にトラックを載置した状態の説明図である。
【図２３】従来のトラックフレーム修正機の作業状態を示す説明図である。
【図２４】従来のトラックフレーム修正機のベースの概略平面図である。
【図２５】本発明に係るトラックフレーム修正機のベースの概略平面図である。
【図２６】トラックフレーム修正機にトラックを載置した例であり、（Ａ）は概略平面図、（Ｂ）は概略側面図である。
【図２７】昇降手段と支持手段とを示す概略斜視図である。
【図２８】トラックフレーム修正機のキューブより下方位置にある状態の部分説明図である。
【図２９】シャーシフレームの上下曲り修正方法の説明するイメージ図である。
【図３０】シャーシフレームの上下曲り修正方法の説明するイメージ図である。
【図３１】シャーシフレームの上下曲り修正方法の説明するイメージ図である。
【図３２】シャーシフレームのねじれ曲り修正方法の説明するイメージ図である。
【図３３】シャーシフレームのねじれ曲り修正方法の説明するイメージ図である。
【図３４】シャーシフレームのねじれ曲り修正方法の説明するイメージ図である。
【図３５】シャーシフレームのねじれ曲り修正方法の説明するイメージ図である。
【図３６】（Ａ）はトラックを載置したトラックフレーム修正機の平面図、（Ｂ）はトラックの側面図である。
【発明を実施するための形態】
【００２７】
以下に、本発明の第一の実施形態について図面を参照して説明する。なお、以下に説明例では、トラックのシャーシフレームを例にして説明するが、キャブ構造（キャビン構造）の修正（例えばキャブのフロントマウンティングとリアマウンティング）、左右のフロントピラー、フロントウインド等の修正にも適用できることは当然であり、使用する部材、配置等は限定するものではなく、本発明の趣旨に沿って各種改変することができることは勿論である。
【００２８】
本実施形態のトラックフレーム修正機Ｓは、図１、図２７及び図２８で示すように、床に形成された作業場所Ｈ１に配設された昇降手段としての昇降装置１０と、この昇降装置１０の上部に設けられた支持手段としての修正機フレームＦと、修正機フレームＦに保持されて、前記車両の前後方向に設けられスケールが形成された架台本体２０と、この架台本体２０上を移動可能に設けられた前後移動手段としてのクロスビームギアサポート３０と、このクロスビームギアサポート３０に支持され、架台本体２０の幅方向に配設され左右スケール４１が形成された横架手段としてのクロスビーム４０と、このクロスビーム４０に配設されて、クロスビーム４０を左右に移動とする保持体４５と、この保持体４５に保持された上下スケール４７と、この上下スケール４７で上下距離を確認して上下方向に移動可能に設けられたキューブ５０と、キューブ５０に着脱可能に設けられたスケールが形成されたスライド定盤６０と、キューブ５０又はスライド定盤６０に対して、直接又はアジャストベース９０を介して着脱可能に設けられたアジャストブロック７０と、スライド定盤６０に着脱可能に設けられたジョイント定盤８０と、ジョイント定盤８０に設けられアジャストブロック７０の一方を押圧する押圧手段１００（プッシュタワー１０１、プッシュシリンダー１０２等）と、アジョイント定盤８０に設けられアジャストブロック７０の他方を牽引する牽引手段１１０（プルタワー１１１，プルシリンダー１１２，チェーン１１５等）と、を備えている。
【００２９】
そして、本実施形態の架台本体２０は、図２７及び図２８で示すように、２つの長手方向の中空鋼材２１，２１が所定間隔で平行に連結部２２で連結されて形成されている。この架台本体２０には、芯出し治具やそのほかの計測装置を固定することができるようになっている。上記中空鋼材２１の外側側面には、目盛（スケールが形成された）の付いたギアプレート２３が配設されて、移動量の計測が可能となっている。
この架台本体２０の前後方向及び左右方向の構造・作用等の詳細は、公知であり、特許第５２５６３３７号公報に詳述されているので、その説明を省略する。
【００３０】
本実施形態のキューブ５０は、図１８乃至図２１で示すように、支柱５０ａと、支柱５０ａの自由端部にヘッド部５０ｂが形成され、ヘッド部５０ｂは正六面体をしている。
【００３１】
支柱５０ａには、図１８で示すように、キューブ５０が上下移動時に案内する凹部５２が形成され、凹部５２には所定間隔で、上下移動時に位置固定できるように固定孔５３が形成されている。また支柱５０ａの凹部５２が形成されていない部分には、直線状に案内部５４がヘッド部５０ｂまで伸びるように形成されている。この構成により、キューブ５０は、凹部５２及び案内部５４で、上下移動が円滑に行えるようになっている。
【００３２】
ヘッド部５０ｂには、少なくとも上面側には、ねじ孔５１（本例では４箇所が等間隔でキューブの形状に合わせて等間隔）が形成され、後述するボルト等により、スライド定盤６０と着脱可能に締結できるように構成している。
従って、本実施例におけるキューブ５０，スライド定盤６０，アジャストブロック７０，ジョイント定盤８０，アジャストベース９０等に形成される貫通孔（ボルト孔、ボルト穴）等は、同じピッチで形成されていることが好ましいが、用いる箇所により、異ならせてもよい。
【００３３】
図１９乃至図２１は、キューブ５０の支柱５０ａの長さが異なるもので、車の高さや修理する箇所に対応できるように構成されており、作用等は同様である。
なお、図４はキューブ５０にスライド定盤６０を用いた例を示す説明図であり、スライド定盤６０は200×1800×30に14mmのねじ孔５１を25ピッチに開け、スライド定盤６０の下部に位置させ、キューブ５０のねじ孔５１を３箇所で固定し、幅左右に片側900m＜1800mのスケールを設置してある。
【００３４】
スライド定盤６０は、左右にスケールを設置し、左右の横曲がり、ねじを計測しながら修正基準の定盤の働きをする、アタッチメントベースでもある。スライド定盤６０は必要な場所に配置することができ、図３はスライド定盤６０を使用しない例であり、トップジクセットも可能である。
スライド定盤６０は、図１，図２，図４，図５で示すように、キューブ５０と着脱可能に連結し、アジャストブロック７０，ジョイント定盤８０，アジャストベース９０等を修理するトラックの大きさに合わせて着脱可能に固着するもので、所定位置に所定の数の貫通孔６１が形成されている。
【００３５】
そして、貫通孔６１によって、キューブ５０のねじ孔５１とボルトによって一体に締結されている（本例では３箇所をキューブ５０と固定している）。そしてスライド定盤６０の左右のスケールを設置して左右の横曲り、ねじを計測しながら修正基準の定盤の働きをするものである。
また、スライド定盤６０に形成された貫通孔６１によって、アジャストブロック７０，ジョイント定盤８０，アジャストベース９０等にそれぞれ形成された貫通孔によって、ボルトナット等により、着脱可能に締結できるように構成されている。
【００３６】
アジャストベース９０は、図１及び図２、図４及び図５、図７で示すように、キューブ５０に取り付けられたスライド定盤６０とアジャストブロック７０とを連結するもので、スライド定盤６０の上でスケールを基準に移動させるものであり、スライド定盤６０の上面側に位置する上部ガイド部９２ａと、スライド定盤６０を案内しスライド定盤６０の下側を固定する下部ガイド部９２ｂとから構成されている。
【００３７】
アジャストベース９０には、アジャストブロック７０を締結する貫通孔９１が形成されている。そして、ガイド部９２（上部ガイド部９２ａ，下部ガイド部９２ｂ）にはスライド定盤６０を固定可能に締結孔９３ａ、９３ｂが形成されている。上部ガイド部９２ａの締結孔９３ａは、左右に設けられ、本例では一列に５個形成され、下部ガイド部９２ｂには締結孔９３ｂが締結孔９３ａのいずれかと整合するように形成され、これら締結孔９３ａ，９３ｂを整合させて、不図示のボルトナットでスライド定盤６０を挟み込みして固定可能に形成されている。
【００３８】
図７はアジャストベース９０の説明図であり、（Ａ）は平面図、（Ｂ）は側面図、（Ｃ）は正面図である。アジャストベース９０は300×250×90で左右に22mmの固定用ボルトナットで固定する。アジャストブロック７０との組み合わせのために14mm２５間隔にピッチ1.75mmのボルト穴をセットする。
アジャストベース９０はスライド定盤６０の上を、スケールを基準に移動させるものである。アジャストブロック７０とアジャストベース９０の組み合わせにより、より正確な基準寸法を確認できる。
【００３９】
図５はスライド定盤６０にアジャストベース９０とアジャストブロック７０を取り付けた状態の説明図であり、（Ａ）は平面図、（Ｂ）は正面図、（Ｃ）は側面図である。
アジャストベース９０は300×250×90で左右に22mmの固定用ボルトナットで固定する。アジャストブロック７０との組み合わせのために14mm２５間隔にピッチ1.75mmのボルト穴をセットする。
このように、アジャストブロック７０とアジャストベース９０の組み合わせにより、より正確な基準寸法を確認することが可能となる。
【００４０】
アジャストブロック７０は、シャーシフレームＳＦ等を直接保持し修正するときに力を加えるものであり、図１乃至図５で示すように、キューブ５０やスライド定盤６０と連結されるものである。図３で示すように、キューブ５０と直接連結するように構成し、或いは図１，図２，図４，図５のように、スライド定盤６０を介して連結される。なお記号ＣＭは、修理するシャーシフレームＳＦを連結するクロスメンバーである。
【００４１】
図３はキューブ５０に直接アジャストブロック７０を取り付けた例の説明図である。アジャストブロック７０は120×350×19を３ヶ所に使用する。
寸法の異なるシャーシフレームＳＦに対し、損傷状況にあわせアジャストブロック７０と固定ブロック１２０（図３には不図示）により上下の捩れや、曲がりをキューブ５０にセットして上下左右の損傷を、スケールを基準に修正が出来る。又シャーシフレームＳＦのウエー部の捩れによる直角を修正することを可能にするものである。
これにより、架台本体２０を６Mに変更強化でき、また、キューブ５０の寸法変更、ギヤーとギヤーカイドレールの変更強化することができる。
【００４２】
ジョイント定盤８０は、図１及び図２で示すように、スライド定盤６０の端部側にボルトナットで着脱可能に水平に固定されるもので、本実施形態では、図６で示すように、所定の厚さの鋼板から形成され、所定間隔毎に貫通孔（ボルトの挿通孔）８１が所定間隔で所定数形成されている。本例では、縦４、横１４の数で貫通孔８１が形成されている。
そして、この貫通孔８１を利用して、図１で示すように、ジョイント定盤８０の一端側をスライド定盤６０側に固定し、他端側に押圧手段１００又は牽引手段１１０となるプッシュタワー１０１又はプルタワー１１１を、ボルトナットで着脱可能に水平に固定されるものである。
【００４３】
本実施形態の押圧手段１００と、牽引手段１１０は、公知のものを使用できるが、図１で示すように、押圧手段１００はプッシュタワー１０１，プッシュシリンダー１０２等、牽引手段１１０はプルタワー１１１, プルシリンダー１１２，チェーン１１５等から構成されている。
【００４４】
本例の押圧手段１００を構成するプッシュタワー１０１は、図１，図９及び図１１で示すように、ジョイント定盤８０の貫通孔８１と連結するための連結孔１０１ｄを四隅に形成したタワーベース１０１ａに、二本の柱体１０１ｃ，１０１ｃが溶接等により一体に形成されて、上面には上部板体１０１ｂで補強されて一体に形成されたものである。
そして、各柱体１０１ｃには、後述するプッシュシリンダー１０２を取り付ける取付穴１０１ｅが所定数（本例では４つ）所定間隔で形成されている。ジョイント定盤８０はプッシュタワー１０１の位置を、修理する車の幅に応じて、プッシュシリンダー１０２を取り付け、押すことが可能となっており、必要に応じて寸法調整するものである。
【００４５】
本例のプッシュシリンダー１０２は、公知のシリンダ装置であり、シリンダ１０２ａの端部の固定部１０２ｃをプッシュタワー１０１の取付穴１０１ｅに固定し、ピストン１０２ｂの端部をアジャストブロック７０に突き当てる。
プッシュタワー１０１にプッシュシリンダー１０２を取付けて必要に応じて、押すことが可能となる（10ton〜20ton）。ジョイント定盤８０はプッシュタワー１０１の位置を車の幅に応じて、プッシュシリンダー１０２を取付け、必要に応じて、寸法調整を可能とする。プルタワー１１１にプルシリンダー１１２を取付け、フレーム専用ジグより必要に応じて、引くことを可能とする（10ton〜20ton）。ジョイント定盤８０はプルタワー１１１の位置を車の幅に応じて、プルシリンダー１１２を取付け、必要に応じて、寸法調整を可能とする。
【００４６】
本例の牽引手段１１０を構成するプルタワー１１１は、図１，図８及び図１０で示すように、ジョイント定盤８０の貫通孔８１と連結するための連結孔１１０ｄを四隅と柱体１１０ｃの配置位置の中央近傍に形成したタワーベース１１０ａに、二本の柱体１１０ｃ，１１０ｃが溶接等により一体に形成されて、上面には上部板体１１０ｂで補強されて一体に形成されたものである。
そして、各柱体１１０ｃには、アジャストブロック７０を水平に引くことができるように方向転換器１１４が設けられ、この方向転換器１１４が配置できるように、取付穴１１０ｅが所定数（本例では１５つ）所定間隔で形成されている。
【００４７】
また柱体１１０ｃの上部には、プルシリンダー１１２を取り付けるための取付部１１３及び係合穴１１３ａが形成されている。プルシリンダー１１２は、公知のものを用いることができ、シリンダ１１２ａとピストン１１２ｂとから構成されている。
シリンダ１１２ａには、固定部１１２ｃが設けられ、上記取付部１１３に取り付けるように構成されている。
【００４８】
ピストン１１２ｂの先端は、チェーン１１５が連結されており、このチェーン１１５は、方向転換器１１４により、アジャストブロック７０を水平に牽引することができるようになっている。これにより、図示しないフレーム専用治具等により、必要に応じて引くことが可能となっている。なお、ジョイント定盤８０はプルタワー１１１の位置を車の幅に応じて、寸法調整が可能にしている。
【００４９】
図１２及び図１３は固定ブロックの説明図であり、固定ブロック１２０は修理する車のシャーシフレームＳＦを固定するものであり、キューブ５０或いはアジャストベース９０を介してスライド定盤６０に取り付けられる取付部１２１と、取付部１２１から直角に上方に延伸する固定部１２２と、がＬ字状に形成されているものである。
取付部１２１には、図１２（Ａ）及び図１３（Ａ）で示すように、キューブ５０或いはアジャストベース９０を介してスライド定盤６０との取付用のボルト穴１２３が複数形成されている。本例では、２列、各４つのボルト穴１２３が形成されている。このボルト穴１２３は、アジャストブロックの取付部と同じピッチ等で形成されている。
なお図１２と図１３の各固定ブロック１２０は、固定部１２２に連結用のボルト穴が形成されているか否かの違いであり、ボルト穴は修正作業において、シャーシフレームＳＦ等を固定するため等の各種アタッチメントを取り付けるためのものである。
【００５０】
図１４乃至図１６は、アジャストブロックの説明図であり、シャーシフレームＳＦ等に押圧、牽引等の力を加えるときに、伝達する役割を果たすものであり、変形等を修正する箇所に取り付けられるものである。アジャストブロック７０は修理する車のシャーシフレームＳＦの変形箇所に取り付けられるものであり、キューブ５０或いはアジャストベース９０を介してスライド定盤６０に取り付けられる取付部７１と、取付部７１から直角に上方に延伸するアジャスト部７２と、がＬ字状に形成されているものである。
取付部７１は、上記固定ブロック１２０と同様に形成されており、アジャスト部７２は、図１で示すように、プッシュシリンダー１０２のピストン１０２ｂの先端と当接し押圧可能とし、或いはプルシリンダー１１２に取り付けられたチェーン１１５と連結する係合穴７４等が所定位置に形成されている。これにより、アジャストブロック７０を牽引可能に構成されている。
【００５１】
図１５は、補強部材７５が取着されたアジャストブロック７０を示すものである。図１６は補強部材７５を示すもので、Ｌ字状に形成された取付部７１とアジャスト部７２の箇所に、図１５で示すように固定されている。これにより取付部７１とアジャスト部７２の変形がしないように補強されている。
【００５２】
図１７は左右スケールと保持体と上下スケールとキューブとの関連の概略説明するものであり、クロスビーム４０に形成された左右スケール４１で計測しながら保持体４５を左右に移動して固定し、次に保持体４５にキューブ５０の支柱５０ａを上下移動可能に保持させ、保持体４５上に排泄された上下スケール４７で、上下移動量を計測しながら上下位置を確認し、所定位置で支柱５０ａを固定し、キューブ５０のヘッド部５０ｂで一体となったスライド定盤６０、アジャストベース９０を介して着脱可能に設けられたアジャストブロック７０、スライド定盤６０に着脱可能に設けられたジョイント定盤８０等の上下位置を固定する。
【００５３】
車両の修復・修正作業には、部品等の交換や修理用のハンマーや当て治具等を用いて修理などを行うが、作業し易い位置に、昇降手段としての昇降装置１０で車両を位置させて行う。そして、車両のダメージの無いポイントおよび修復や修正の終了したポイントは、高さ、幅、長さ、トップ治具の各固定ボルト（ナット）を確実に締めて、ポイントをロックする。このとき、治具に引っ張り力（牽引力）が加わらないようにする。
【００５４】
一方、フレームやシャーシ等の歪みなどを修正するためには、押圧手段１００である押圧装置や牽引手段１１０である牽引装置によって牽引して行うが、牽引するときに、固定したポイントのすぐ近くを、押圧或いは牽引する等して、行う。
【００５５】
このように、トラックフレーム修正機Ｓによれば、修復・修正すべきトラックについて、セットアップするための治具等の取り付け作業等の押圧力や牽引力を必要としない修復・修正作業と、押圧力や牽引力を必要とする修復・修正作業について、順序等を問わずに作業することが可能となる。したがって、作業を同時並行に行うことが可能となるため、作業時間を大幅に減らし、作業効率を高めることが可能となる。
【００５６】
一般に、トラックフレーム修正機は、車体工場の作業者が使用する、いわゆるベンチと称されるトラックフレーム修正機を構成する形式のものである。例えばその代表的な平面構造は、図２２で示すように、トラックを任意に載置することができるような幅で設けられた２つの前後方向進路を備えた、修正機に渡り板を載置したものとなっている。
しかし、従来例を示す図２３及び図２４で示すように、トラックフレーム修正機の幅が修理するトラックの車幅より狭いため、車輪がトラックフレーム修正機からはみ出てしまうだけでなく、トラックフレーム修正機より上にあげるには、シャーシフレーム自体で保持しなくてはならないことになる（つまり車輪で支持できない）。
【００５７】
しかし、図２５及び図２６で示すトラックフレーム修正機Ｓの例では、トラックフレーム修正機Ｓの幅は、車幅より大きい。十分な幅を持って構成されているので、渡り板を取り付けた架台本体２０は、車両を載せる際に床と面一となるように構成され、自走或いは牽引によって、容易にトラックフレーム修正機Ｓ上に載置させることができる。
【００５８】
したがって、車両（トラック）が乗り越えなければならないような段差が生じないように構成することができ、これらの前後方向の架台本体２０に横架手段であるクロスビーム４０を配して、このクロスビーム４０と共に、渡り板を載置した構造で、渡り板を利用して修復・修正すべき車両を架台本体２０に搭載した後で、後述するように、各種治具ベース及び治具を取り付けるように構成することが可能である。
【００５９】
なお、図２５及び図２６の例では、トラックフレーム修正機Ｓを前後で２つの部分に分けて構成した例であり、図３６はトラックフレーム修正機Ｓを１つの装置で構成し、トラックを載置した例である。
【００６０】
より具体的には、設置されたスケールを基準に、ラチェットレンチ等を操作して機器等を操作して移動調整を行う。
本発明では、押圧手段１００であるプッシュタワー１０１及びプッシュシリンダー１０２と牽引手段１１０であるプルタワー１１１とプルシリンダー１１２を採用しており、基準スケールの前後・左右方向で対称に移動調整を行う。さらに、3次元マルチアライメント計測システム「タッチ」（オプション設定）を利用すれば修理の精度を増すことができる。
【００６１】
損傷修正の手順は、先ず、修理するトラックの高さ、長さ、損傷個所等を特定し、各種部品やパーツを取り付けて、準備を行い、トラックフレーム修正機Ｓの架台本体２０上に修理するトラックを載置する。
次に、前記したトラックフレーム修正機Ｓに基づいて、各種修正を行う。ここではシャーシフレームＳＦの上下曲りの修正方法と、シャーシフレームＳＦの捩れ曲り修正方法について説明する。
【００６２】
図２９乃至図３１は、シャーシフレームＳＦの上下曲りの修正方法の概略を説明するイメージ図である。
この例では、三つのキューブを用いた例で説明する。シャーシフレームＳＦの本来あるべき基準位置から損傷等によって変形した一番下がった位置を特定し、この一番下がった位置に第１のキューブ５０（中央のキューブ）でシャーシフレームＳＦと連結し、この両側の位置に第２及び第３のキューブ５０でシャーシフレームＳＦと連結する。なお、図の左右方向が車両の前後方向である。
【００６３】
つまり、先ず保持体４５（上下スケール４７が保持されている）を、左右スケール４１が形成された横架手段としてのクロスビーム４０の上を横移動させて、車幅左右方向に移動する。
そして、図２９で示すように、それぞれ所定位置において、保持体４５が前後に動かないようにクロスビームギアサポート３０を移動した後固定する。第２及び第３のキューブ５０が上下方向に動かないように固定し、第１のキューブ５０（中央のキューブ）を上下方向に移動させ、基準位置になるように力を加えて、修正して固定する。修正のために、加える力は、押圧手段１００であるプッシュタワー１０１及びプッシュシリンダー１０２と牽引手段１１０であるプルタワー１１１とプルシリンダー１１２、さらには治具等を用いて、基準スケールの前後・左右方向で対称に移動調整を行いながら修正する。なお前後の移動はクロスビームギアサポート３０によってクロスビーム４０を車体前後に移動して行う。
【００６４】
次に、第１のキューブ５０（中央のキューブ）を上下方向に移動し、基準位置になったら、その位置で固定した後で、図３０で示すように、第２及び第３のキューブ５０の上下方向への固定を解除して、第１のキューブ５０と同様に、第２及び第３のキューブ５０を上下方向に移動させ、図３１で示すように、各キューブ５０を操作して力を加え（基準位置になるようにスケールで計測しながら複数繰り返すこともある）、基準位置になるように修正して固定する。そして、図３１で示すように、各キューブ５０によって上下方向の位置を基準位置に合うようにして、力を加え修正するが、シャーシフレームＳＦが基準位置になるようにして修正して固定し、歪んだ上下曲りを修正する。
【００６５】
図３２乃至図３５は、シャーシフレームＳＦの捩れ曲り修正方法の概略を説明するするイメージ図である。２つのキューブ５０で修正する例を示している。
図３２はシャーシフレームＳＦの捩れ曲りを修正するときのイメージ図であり、キューブ５０を捩れ部分などが生じている車両の左右方向に移動させて特定し上下方向に移動する。つまり、図３２で示すように、二つあるキューブ５０をクロスビーム４０で車両の左右方向に移動して、捩れ曲りなどの歪みの位置を特定しキューブ５０が左右に移動しないように固定する。
そして、一方のキューブ５０を上下移動しないように固定し、他方のキューブ５０を上下方向に移動して、高さの位置を特定する。
【００６６】
次に、図３３で示すように、キューブ５０に直接、治具１３２を連結し、この治具１３２を用いて左右のシャーシフレームＳＦを両側から挟み込み、一方のキューブ５０を上下方向の移動ができないように固定する。そして、他方のキューブ５０を上下方向に、力を加えて移動させ、基準位置になるように修正して、固定する。
次に、初めに上下方向に移動できないように固定したキューブ５０を解除し、上下方向に移動して、力を加えて、基準位置になるように修正して、固定する。
なお、加える力は、押圧手段１００であるプッシュタワー１０１及びプッシュシリンダー１０２と牽引手段１１０であるプルタワー１１１とプルシリンダー１１２、さらには治具等を用いて、基準スケールの前後・左右方向で対称に移動調整を行いながら修正を行う。なお前後の移動はクロスビームギアサポート３０によってクロスビーム４０を車体前後に移動して行う。
【００６７】
図３４は、スライド定盤６０を用いた例を示しており、具体的には、図１で示すように、スライド定盤６０にアジャストベース９０を介してアジャストブロック７０を取り付ける。そして、アジャストブロック７０で左右のシャーシフレームＳＦを挟み込み固定する。固定したシャーシフレームＳＦに対し、スライド定盤６０及びアジャストブロック７０に、同時に力を加え、上下方向のシャーシフレームＳＦの捩れ曲がりを修正して、図３５で示すように、各種トラックの種類に応じて、それぞれの基準に合わせた修正を行う。
【００６８】
上記で記載した例において、治具はメーカ毎、トラックの種類毎に、それぞれ規格があるので、この規格に合った状態になるように、各種多様な治具が用いられるが、これらは上記説明した部材、部品等取り付けるときに、多くのねじ孔，穴等が形成されているので、これに合わせて取り付け、修理すべき位置の調整や部材、部品等の取り付け調整等を行うことができるものである。
【産業上の利用可能性】
【００６９】
メーカーが異なる多様な車種に対応できるトラックフレーム修正機であるが、各例で説明したシャーシフレームは勿論であるが、トラックのフロント側、リア側、ボディ、各種フレームの歪み、車輪の歪みなどを修復することが可能である。
【符号の説明】
【００７０】
１０  昇降装置（昇降手段）
２０  架台本体
２１  中空鋼材
２２  連結部
２３  ギアプレート
３０  クロスビームギアサポート
４０  クロスビーム（横架手段）
４１  左右スケール
４５  保持体
５０  キューブ
５０ａ  支柱
５０ｂ  ヘッド部
５１  ねじ孔
６０  スライド定盤
６１  貫通孔
７０  アジャストブロック
７１  取付部
７２  アジャスト部
７４  係合穴
７５  補強部材
８０  ジョイント定盤
８１  貫通孔
９０  アジャストベース
９１  貫通孔
９２  ガイド部
９２ａ  上部ガイド部
９２ｂ  下部ガイド部
９３ａ、９３ｂ  締結孔
１００  押圧手段
１０１  プッシュタワー
１０１ａ  タワーベース
１０１ｃ  柱体
１０１ｄ  連結孔
１０１ｅ  取付穴
１０２  プッシュシリンダー
１０２ａ  シリンダ
１０２ｃ  固定部
１０２ｂ  ピストン
１１０  牽引手段
１１０ａ  タワーベース
１１０ｂ  上部板体
１１０ｃ  柱体
１１０ｄ  連結孔
１１０ｅ  取付穴
１１１  プルタワー
１１２  プルシリンダー
１１２ａ  シリンダ
１１２ｂ  ピストン
１１２ｃ  固定部
１１３  取付部
１１３ａ  係合穴
１１４  方向転換器
１１５  チェーン
１２０  固定ブロック
１２１  取付部
１２２  固定部
１２３  ボルト穴
１３１，１３２  治具
ＣＭ  クロスメンバー
Ｈ１  作業場所
Ｆ  修正機フレーム（支持手段）
Ｓ  トラックフレーム修正機
ＳＦ  シャーシフレーム
【図１】
2017007654.tif 000003
【図２】
2017007654.tif 000004
【図３】
2017007654.tif 000005
【図４】
2017007654.tif 000006
【図５】
2017007654.tif 000007
【図６】
2017007654.tif 000008
【図７】
2017007654.tif 000009
【図８】
2017007654.tif 000010
【図９】
2017007654.tif 000011
【図１０】
2017007654.tif 000012
【図１１】
2017007654.tif 000013
【図１２】
2017007654.tif 000014
【図１３】
2017007654.tif 000015
【図１４】
2017007654.tif 000016
【図１５】
2017007654.tif 000017
【図１６】
2017007654.tif 000018
【図１７】
2017007654.tif 000019
【図１８】
2017007654.tif 000020
【図１９】
2017007654.tif 000021
【図２０】
2017007654.tif 000022
【図２１】
2017007654.tif 000023
【図２２】
2017007654.tif 000024
【図２３】
2017007654.tif 000025
【図２４】
2017007654.tif 000026
【図２５】
2017007654.tif 000027
【図２６】
2017007654.tif 000028
【図２７】
2017007654.tif 000029
【図２８】
2017007654.tif 000030
【図２９】
2017007654.tif 000031
【図３０】
2017007654.tif 000032
【図３１】
2017007654.tif 000033
【図３２】
2017007654.tif 000034
【図３３】
2017007654.tif 000035
【図３４】
2017007654.tif 000036
【図３５】
2017007654.tif 000037
【図３６】
2017007654.tif 000038